(57)【特許請求の範囲】
【請求項１】
入力又は受信して得た映像信号から、水平同期信号と垂直同期信号とを検出する同期信号検出部と、
前記同期信号検出部で検出した垂直同期信号により判別された１垂直同期期間内の水平ライン数が映像信号フォーマットで規定された水平ライン数か否かにより、標準映像信号か非標準映像信号かを判別する標準信号判別部と、
前記同期信号検出部で検出した垂直同期信号により判別された１垂直同期期間内の水平ライン数を、１／２水平ラインを単位として検出し、その検出した水平ライン数が奇数の場合にインターレース信号であると判断し、偶数の場合にプログレッシブ信号であると判別するインターレース・プログレッシブ判別部と、
前記同期信号検出部で検出した水平同期信号及び垂直同期信号の周波数により映像信号フォーマットを判別し、前記標準信号判別部及びインターレース・プログレッシブ判別部での判別結果により、判別した映像信号フォーマットでの、標準信号と非標準映像信号との区別と、インターレース信号とプログレッシブ信号と区別を行い、その区別に基づいて、前記入力又は受信して得た映像信号を対応した処理状態に設定する制御部とを備え、
前記制御部での設定として、非標準映像信号のインターレース信号と判別した場合にインターレース信号の映像信号処理を実行させ、非標準映像信号のプログレッシブ信号と判別した場合にプログレッシブ信号の映像信号処理を実行させる
映像信号処理装置。
【請求項２】
入力又は受信して得た映像信号から、水平同期信号と垂直同期信号とを検出する同期信号検出部と、
前記同期信号検出部で検出した垂直同期信号により判別された１垂直同期期間内の水平ライン数が映像信号フォーマットで規定された水平ライン数か否かにより、標準映像信号か非標準映像信号かを判別する標準信号判別部と、
前記同期信号検出部で検出した垂直同期信号により判別された１垂直同期期間内の水平ライン数を、１／２水平ラインを単位として検出し、その検出した水平ライン数が奇数の場合にインターレース信号であると判断し、偶数の場合にプログレッシブ信号であると判別するインターレース・プログレッシブ判別部と、
前記同期信号検出部で検出した水平同期信号及び垂直同期信号の周波数により映像信号フォーマットを判別し、前記標準信号判別部及びインターレース・プログレッシブ判別部での判別結果により、判別した映像信号フォーマットでの、標準信号と非標準映像信号との区別と、インターレース信号とプログレッシブ信号と区別を行い、その区別に基づいて、前記入力又は受信して得た映像信号を対応した処理状態に設定し、その設定として、非標準映像信号のインターレース信号と判別した場合にインターレース信号の映像信号処理を実行させ、非標準映像信号のプログレッシブ信号と判別した場合にプログレッシブ信号の映像信号処理を実行させる制御部と、
前記制御部の制御で前記入力又は受信して得た映像信号を表示用に処理し、前記制御部からの制御で、インターレース信号の映像信号処理とプログレッシブ信号の映像信号処理のいずれかを実行する映像信号処理部と、
前記映像信号処理部で処理された映像信号を表示させる表示部とを備えたことを特徴とする
表示装置。
【請求項３】
入力又は受信して得た映像信号から、水平同期信号と垂直同期信号とを検出する同期信号検出処理と、
前記同期信号検出処理で検出した垂直同期信号により判別された１垂直同期期間内の水平ライン数が映像信号フォーマットで規定された水平ライン数か否かにより、標準映像信号か非標準映像信号かを判別する標準信号判別処理と、
前記同期信号検出処理で検出した垂直同期信号により判別された１垂直同期期間内の水平ライン数を、１／２水平ラインを単位として検出し、その検出した水平ライン数が奇数の場合にインターレース信号であると判断し、偶数の場合にプログレッシブ信号であると判別するインターレース・プログレッシブ判別処理と、
前記同期信号検出処理で検出した水平同期信号及び垂直同期信号の周波数により映像信号フォーマットを判別し、前記標準信号判別処理及びインターレース・プログレッシブ判別処理での判別結果により、判別した映像信号フォーマットでの、標準信号と非標準映像信号との区別と、インターレース信号とプログレッシブ信号と区別を行い、その区別に基づいて、前記入力又は受信して得た映像信号を対応した処理状態に設定し、その設定として、非標準映像信号のインターレース信号と判別した場合にインターレース信号の映像信号処理を実行させ、非標準映像信号のプログレッシブ信号と判別した場合にプログレッシブ信号の映像信号処理を実行させる制御処理とを行うことを特徴とする
映像信号処理方法。
【発明の詳細な説明】
【技術分野】
【０００１】
本発明は、映像信号処理装置及び映像信号処理方法、並びにその映像信号処理を行う表示装置に関し、特に入力又は受信した映像信号の信号フォーマットを検出する技術に関する。
【背景技術】
【０００２】
従来、テレビジョン受像機などの表示装置として、複数の信号フォーマットの映像信号に対応したものがある。このような表示装置においては、外部から入力した映像信号又は内蔵されたチューナで受信した映像信号の信号フォーマットを判別して、その判別した信号フォーマットに対応した信号処理状態を設定するようにしてある。信号フォーマットの検出としては、例えば映像信号の垂直同期信号（Vsync）の安定性に着目して、その垂直同期信号に基づいた検出を行って、それぞれの状態に対して処理を行っていた。
【０００３】
具体的には、１垂直同期期間内のトータルの水平ライン数（水平同期信号数）をVTTLとした場合、垂直同期信号の安定性により、
１）  VTTL＋α期間以上、垂直同期信号が存在しない場合：無信号状態（ex.α＝VTTL×0.2）
２）  1VのTotalLine＝VTTLが連続β回以上の続いた場合：標準信号状態（ex.β＝2）
３）  上記以外の場合：非標準信号状態
と状態を分類していた。
ここでVTTLは、標準信号での１V区間のトータルライン数であり、各信号フォーマットに対してそれぞれ
480I：262.5H、480P：525H、1080I：562.5H、720P：750H
という値となる。
なお実際の各状態遷移にはヒステリシスを持たせたりして誤検出を防いでおり、そしてそれぞれの状態に合わせて
１）無信号状態→画面のミュート（ブランキング）、フリーラン処理
２）標準信号状態→高画質化処理
３）非標準信号状態→フリーラン処理
などといった処理を行っていた。ここでのフリーラン処理とは、入力の不安定な同期信号に影響されない安定したタイミングで処理するというモードであり、具体的にはメモリに入力信号を一旦書き込ませて、そのメモリに書き込まれた信号を安定して読み出す処理が行われる。
【０００４】
ここでまず、従来の映像信号フォーマットの判定処理例を、図５の状態遷移図を参照して説明する。まず、表示装置の電源オンなどで判別動作が開始すると（ステップＳ１）、v_status＝00と初期化を行い、ステップＳ２の「無信号状態：No-Signal」へ遷移する。垂直同期信号（Vsync）が検出されない間は、「無信号状態」を保持するが、検出された場合、v_status＝01とし、ステップＳ３の「非標準状態：Non-Standard Signal」へ遷移する。
【０００５】
次にステップＳ３の「非標準状態：Non-Standard Signal」において、一定期間（VTTL+α）以上、垂直同期信号（Vsync）が存在しない場合は、v_status＝00とし、ステップＳ２の「無信号状態：No-Signal」へ遷移する。また１Ｖ＝ＶＴＴＬが連続β回続いた場合は、v_status＝11とし、ステップＳ４の「標準状態：Standard Signal」へ遷移する。それ以外の場合はステップＳ３の「非標準状態：Non-Standard Signal」を保持する。
【０００６】
そしてステップＳ４の「標準状態：Standard Signal」においては、一定期間（VTTL+α）以上、垂直同期信号が存在しない場合は、v_status＝00とし、ステップＳ２の「無信号状態：No-Signal」へ遷移する。また１Ｖ≠ＶＴＴＬの場合は、v_status＝01とし、ステップＳ３の「非標準状態：Non-Standard Signal」へ遷移する。それ以外の場合はステップＳ４の「標準状態：Standard Signal」を保持する。
【０００７】
これらの信号判別で、標準状態の信号であると判別した際には、その判別したフォーマットの信号用の高画質化処理が行われて、表示される。非標準状態の信号であると判別された場合には、高画質化処理を行わず、入力映像信号を一旦メモリに書き込ませる等で、極力安定して表示させるような表示処理が行われる。
【０００８】
特許文献１には、映像信号の標準信号と非標準信号を判別する技術についての開示がある。
【特許文献１】特開２００３−１３４３５５号公報
【発明の開示】
【発明が解決しようとする課題】
【０００９】
ところで実際の信号では、下記のようなにさまざまなものが存在している。
・ＲＦ入力の場合、通常の放送チャンネル、弱電界チャンネル、隣接無信号チャンネル、無信号チャンネル、ビデオゲーム機器からのＲＦ入力信号がある。
・ビデオ入力信号の場合、ビデオテープ再生装置からの通常再生信号、変速再生信号、ビデオゲーム機器からのビデオ入力信号、無信号がある。
・専用のビデオ入力端子を使用した入力信号の場合、480P、480I、720P、1080I、540P（Ｐはプログレッシブ信号、Ｉはインターレース信号）、無信号の場合がある。
【００１０】
このうち通常の放送チャンネル、ビデオ通常再生時などでは、標準信号状態として高画質処理されるが、通常のゲーム機器が出力するビデオ信号（以下ゲーム信号と称する）と、ビデオ変速再生時、弱電界チャンネル、隣接無信号チャンネルはすべて非標準信号状態として、扱わざるを得ないうえ、弱電界チャンネルと隣接無信号チャンネルについては、信号状態によって非標準信号状態と無信号状態が混在してしまうので、誤検出の可能性があり最適な処理を施すことができなかった。
【００１１】
図６は、このような検出処理で検出されるステータスの例を示した図である。図中、二重丸「◎」は、安定して検出される状態を示し、丸「○」は検出される場合がある状態を示し、その他の状態は検出されない場合を示す。
【００１２】
この図６に示すように、チューナで受信したＲＦ信号である場合には、通常の放送チャンネルの受信信号の場合、標準信号であると安定して検出し、弱電界チャンネルの受信時には、標準信号であると検出される場合と、非標準信号であると検出される場合とがある。隣接無信号チャンネルの受信時には、無信号と検出される場合と、非標準信号であると検出される場合とがある。無信号チャンネルの受信時には、無信号と検出される。ビデオゲーム機器が出力するＲＦ信号を入力した場合には、非標準信号であると検出される。
【００１３】
ビデオ入力端子に入力した映像信号の場合には、ビデオテープ再生装置（VCR）が通常再生した信号が供給される場合には、標準信号であると検出される。ビデオテープ再生装置（VCR）が変速再生した信号が供給される場合には、非標準信号であると検出される。ビデオゲーム機器が出力するビデオ信号を入力した場合には、非標準信号であると検出される。ビデオ入力での無信号時には、無信号と検出される。
【００１４】
さらにビデオ入力端子などで、480P、720P、1080Iのビデオ信号が入力した場合にも、それぞれ標準信号であると検出される。ゲーム機器が出力する場合がある540Pのビデオ信号の場合には、非標準信号であると検出される。
【００１５】
このような従来の検出では、上述したように誤検出の可能性があり最適な処理を施すことができない場合があった。
ところが、
【００１６】
本発明はかかる点に鑑みてなされたものであり、多種類の映像信号入力に対応して良好な映像信号判別ができるようにすることを目的とする。
【課題を解決するための手段】
【００１７】
本発明は、入力又は受信して得た映像信号から、水平同期信号と垂直同期信号とを検出し、垂直同期信号により判別された１垂直同期期間内の水平ライン数が映像信号フォーマットで規定された水平ライン数か否かにより、標準映像信号か非標準映像信号かを判別し、１垂直同期期間内の水平ライン数を、１／２水平ラインを単位として検出し、その検出した水平ライン数が奇数の場合にインターレース信号であると判断し、偶数の場合にプログレッシブ信号であると判別し、水平同期信号及び垂直同期信号の周波数により映像信号フォーマットを判別し、判別した映像信号フォーマットでの、標準信号と非標準映像信号との区別と、インターレース信号とプログレッシブ信号と区別を行い、その区別に基づいて、入力又は受信して得た映像信号を対応した処理状態に設定し、その設定として、非標準映像信号のインターレース信号と判別した場合にインターレース信号の映像信号処理を実行させ、非標準映像信号のプログレッシブ信号と判別した場合にプログレッシブ信号の映像信号処理を実行させるものである。
【００１８】
このようにしたことで、標準信号と非標準映像信号との区別と、インターレース信号とプログレッシブ信号と区別とを正しく行うことができ、様々な入力信号状態に対応できるようになる。
【発明の効果】
【００１９】
本発明によると、さまざまな映像信号の信号状態に対して、誤動作の少ない最適な信号検出が行え、誤動作の少ない最適な処理を施すことが可能となる。具体的には、例えば入力信号が異常時、同期信号が乱れた場合すばやく対応できる。また、ＲＦ信号の弱電界時、隣接無信号チャンネル受信時、ビデオ変速再生時などのイレギュラーな信号状態とゲーム信号の判別精度が向上するため、ゲーム信号に適した信号処理を施すことが可能になる。さらに、ＲＦ信号の弱電界時、隣接無信号チャンネル受信時、ビデオ変速再生時などのイレギュラーな信号状態とゲーム信号の判別精度が向上するため、イレギュラーな信号状態で、水平、垂直周波数が変動する場合、出力をフリーラン周波数に切り替えることにより表示部での表示許容範囲内に変動を抑えることが可能になる。さらにまた、将来、ＨＤ対応のビデオゲーム機器より、540Ｐ信号が入力された場合についても、対応が可能となる。
【発明を実施するための最良の形態】
【００２０】
以下、本発明の一実施の形態を、図１〜図４を参照して説明する。
【００２１】
本例においては、液晶表示パネルを表示手段として使用した映像表示装置に適用したものである。図１に表示装置の全体構成を示す。アンテナ１１がチューナ１２に接続してあり、チューナ１２で復調、選局を行い、コンポジットビデオ信号（ＣＶＢＳ）を取り出し、これをデコーダ部１３で同期処理し、コンポーネント信号（ＹＣｂＣｒ）を得る。コンポーネント信号は、スキャンコンバータ１４で、表示パネルに応じたタイミングおよび解像度へ変換する。ここでの変換としては、画素数変換やインターレース信号からプログレッシブ信号への変換などを行う。スキャンコンバータ１４の出力は、ＲＧＢ処理部（Ｙ色差ＲＧＢ処理部）１５で高画質化処理を施し、最後にパネル駆動部１６で液晶表示パネル１７での表示駆動を行う。ＲＧＢ処理部１５での高画質化処理としては、例えばシャープネス処理などを行う。
【００２２】
デコーダ部１３では、ビデオ信号から分離した同期信号成分などを制御部１９に送り、制御部１９で信号フォーマットなどの受信（入力）ビデオ信号の詳細の判別を行う。その判別結果に基づいて、スキャンコンバータ１４などでの信号処理状態の詳細を設定する。なお、図１の構成では、チューナ１２で受信した信号を処理する構成を示してあるが、図示しない外部ビデオ入力端子に得られる映像信号（ビデオ信号）を、デコーダ部１３に供給して処理してもよい。
【００２３】
図２は、デコーダ部１３の詳細構成例を示した図である。入力端子２１に得られる入力信号を、同期分離回路２２に供給して、水平同期信号Ｈ’と垂直同期信号Ｖ’を同期分離する。この分離された水平同期信号Ｈ’と垂直同期信号Ｖ’を、マイクロコンピュータで構成された制御部１９に供給し、その水平同期信号Ｈ’と垂直同期信号Ｖ’の周波数より入力信号フォーマット判別を行う。この段階での水平同期信号Ｈ’と垂直同期信号Ｖ’は、正確なタイミングの同期信号ではない可能性がある。また、水平同期信号に同期させるＰＬＬ（Phase Locked Loop）回路２３の分周比設定（divide_ratio）と、Ｖカウントダウン部２４の垂直周期設定（v_ttl設定）を行う。
【００２４】
ＰＬＬ回路２３では、水平同期信号の安定状態を示すh_lockステータスとピクセルクロック（ＣＬＫ）、ＣＬＫに同期した安定した水平同期信号Ｈを生成する。h_lockステータスは、１垂直同期期間内の水平同期期間数を、１／２水平同期期間を単位として検出するための信号である。このh_lockステータスを使用して、制御部１９では、１垂直同期期間内の水平同期期間数が奇数の場合に、入力映像信号がインターレース信号Ｉであると判断し、偶数の場合にプログレッシブ信号Ｐであると判別する処理を行う。Ｖカウントダウン部２４では、垂直同期信号の状態を示すv_statusとカウントダウンによる安定化処理を施された水平同期信号Ｈ、垂直同期信号Ｖ、ピクセルクロックＣＬＫを生成する。
【００２５】
これら水平同期信号Ｈ、垂直同期信号Ｖ、ピクセルクロックＣＬＫにより、アナログ／デジタル変換器２５以降の処理を行う。アナログ／デジタル変換器２５では、コンポジットビデオ信号をデジタル信号に変換し、その変換されたデジタル化されたコンポジットビデオ信号を、Ｙ／Ｃ分離回路２６に供給し、輝度信号とクロマ信号とに分離し、クロマデコーダ２７で、コンポーネント信号（ＹＣｂＣｒ）とする。
【００２６】
ここで、制御部１９に供給される水平同期信号Ｈ及び垂直同期信号Ｖの周波数から検出される映像信号フォーマットと、そのフォーマットに対応して制御部１９が設定するＰＬＬ回路２３の分周比設定（divide_ratio）及び垂直周期設定（v_ttl設定）の例について示すと以下の通りとなる。
例１）H=15.734kHz,V=59.94Hz→480Ｉ→divide_ratio=858,v_ttl=262.5H
例２）H=31.468kHz,V=59.94Hz→480P→divide_ratio=858,v_ttl=525H
例３）H=33.75kHz,V=59.94Hz→1080Ｉ→divide_ratio=2200,v_ttl=562.5H
例４）H=45kHz,V=59.94Hz→720P→divide_ratio=1650,v_ttl=750H
【００２７】
次に、本例の制御部１９で映像信号フォーマットの詳細を判定する処理例を、図３の状態遷移図を参照して説明する。まず、表示装置の電源オンなどで判別動作が開始すると（ステップＳ１１）、v_status＝00と初期化を行い、ステップＳ１２の「無信号状態：No-Signal」へ遷移する。垂直同期信号（Vsync）が検出されない間は、「無信号状態」を保持するが、検出された場合、v_status＝01とし、ステップＳ１３の「非標準状態：Non-Standard Signal」へ遷移する。
【００２８】
次にステップＳ１３の「非標準状態：Non-Standard Signal」において、一定期間（VTTL+α）以上、垂直同期信号（Vsync）が存在しない場合は、v_status＝00とし、ステップＳ１２の「無信号状態：No-Signal」へ遷移する。また１Ｖ＝ＶＴＴＬが連続β回続いた場合は、v_status＝11とし、ステップＳ１４の「標準状態：Standard Signal」へ遷移する。それ以外の場合はステップＳ１３の「非標準状態：Non-Standard Signal」を保持する。
【００２９】
そしてステップＳ４の「標準状態：Standard Signal」においては、一定期間（VTTL+α）以上、垂直同期信号が存在しない場合は、v_status＝00とし、ステップＳ１２の「無信号状態：No-Signal」へ遷移する。また１Ｖ≠ＶＴＴＬの場合は、v_status＝01とし、ステップＳ１３の「非標準状態：Non-Standard Signal」へ遷移する。それ以外の場合はステップＳ１４の「標準状態：Standard Signal」を保持する。ここまでは、背景技術の欄で図５に示した処理と同じである。
【００３０】
そして本例においては、非標準信号である場合の処理であるステップＳ１３において、水平同期信号の安定状態を示すh_lockステータスを利用した処理を行う。具体的には、「非標準状態：Non-Standard Signal」をインターレース信号の場合（v_state＝01）（ステップＳ１４）と、プログレッシブ信号の場合（v_state＝10）（ステップＳ１５）の２つの状態に分けて判別を行う。このステップＳ１４及びステップＳ１５の状態遷移は、１垂直周期のライン数を１／２水平期間単位でカウントしたときの値がodd（奇数）の場合、prog＝0、even（偶数）の場合、prog＝1となるフラグにより行う。
【００３１】
このようにして判別した結果に基づいて、非標準信号のインターレース信号の場合とプログレッシブ信号の場合とで、制御部１９からの制御により、それぞれの図１に示した各回路（スキャンコンバータ１４、ＲＧＢ処理部１５など）で、信号処理状態を対応した状態に設定する。
【００３２】
図４は、このような検出処理で検出されるステータスの例を示した図である。図中、二重丸「◎」は、安定して検出される状態を示し、丸「○」は検出される場合がある状態を示し、その他の状態は検出されない場合を示す。
【００３３】
この図４に示すように、チューナで受信したＲＦ信号である場合には、通常の放送チャンネルの受信信号の場合、標準信号であると安定して検出し、弱電界チャンネルの受信時には、標準信号であると検出される場合と、インターレース信号の非標準信号であると検出される場合とがある。隣接無信号チャンネルの受信時には、無信号と検出される場合と、インターレース信号の非標準信号であると検出される場合とがある。無信号チャンネルの受信時には、無信号と検出される。ビデオゲーム機器が出力するＲＦ信号を入力した場合には、プログレッシブ信号の非標準信号であると検出される。
【００３４】
ビデオ入力端子に入力した映像信号の場合には、ビデオテープ再生装置（VCR）が通常再生した信号が供給される場合には、標準信号であると検出される。ビデオテープ再生装置（VCR）が変速再生した信号が供給される場合には、インターレース信号の非標準信号であると検出される場合と、プログレッシブ信号の非標準信号であると検出される場合とがある。ビデオゲーム機器が出力するビデオ信号を入力した場合には、プログレッシブ信号の非標準信号であると検出される。ビデオ入力での無信号時には、無信号と検出される。
【００３５】
さらに、ビデオ入力端子などで、480P、720P、1080Iのビデオ信号が入力した場合にも、それぞれ標準信号であると検出される。ゲーム機器が出力する場合がある540Pのビデオ信号の場合には、プログレッシブ信号の非標準信号であると検出される。
【００３６】
このようにして、非標準信号をインターレース信号とプログレッシブ信号とで区別して検出することで、それぞれの非標準信号を的確に良好に表示処理できるようになる。特に、ビデオゲーム機器から供給されるビデオ信号（ゲーム信号）を、プログレッシブ信号の非標準信号として扱えるので、プログレッシブ信号として高画質化処理が行え、従来は非標準信号の場合には高画質化処理をしないで表示させていた場合に比べて、高画質な表示が可能になる。
【００３７】
以上説明した本例の信号処理構成としたことで、さまざまな映像信号の信号状態に対して、誤動作の少ない最適な信号検出が行え、誤動作の少ない最適な処理を施すことが可能となる。具体的には、例えば入力信号が異常時、同期信号が乱れた場合すばやく対応できる。また、ＲＦ信号の弱電界時、隣接無信号チャンネル受信時、ビデオ変速再生時などのイレギュラーな信号状態とゲーム信号の判別精度が向上するため、ゲーム信号に適した信号処理を施すことが可能になる。さらに、ＲＦ信号の弱電界時、隣接無信号チャンネル受信時、ビデオ変速再生時などのイレギュラーな信号状態とゲーム信号の判別精度が向上するため、イレギュラーな信号状態で、水平、垂直周波数が変動する場合、出力をフリーラン周波数に切り替えることにより表示部での表示許容範囲内に変動を抑えることが可能になる。さらにまた、将来、ＨＤ対応のビデオゲーム機器より、540Ｐ信号が入力された場合についても、対応が可能となる。
【００３８】
なお、ここまで説明した実施の形態では、液晶表示パネルを表示手段として使用した映像表示装置に適用した例としたが、その他の表示手段を使用した表示装置にも適用可能である。
【図面の簡単な説明】
【００３９】
【図１】本発明の一実施の形態による表示装置の全体構成例を示すブロック図である。
【図２】本発明の一実施の形態によるデコーダの構成例を示すブロック図である。
【図３】本発明の一実施の形態による状態遷移例を示す説明図である。
【図４】本発明の一実施の形態で検出されるステータスの例を示す説明図である。
【図５】従来の状態遷移例を示す説明図である。
【図６】従来例で検出されるステータスの例を示す説明図である。
【符号の説明】
【００４０】
１１…アンテナ、１２…チューナ、１３…デコーダ、１４…スキャンコンバータ、１５…ＲＧＢ処理部、１６…パネル駆動部、１７…液晶表示パネル、１８…メモリ、１９…制御部、２２…同期分離部、２３…ＰＬＬ回路、２４…カウントダウン回路、２５…アナログ／デジタル変換器、２６…輝度・クロマ分離部、２７…クロマデコーダ
【図１】
0004715330.tif 000002
【図２】
0004715330.tif 000003
【図３】
0004715330.tif 000004
【図４】
0004715330.tif 000005
【図５】
0004715330.tif 000006
【図６】
0004715330.tif 000007